(57)【特許請求の範囲】
【請求項１】
マルチポイント・チャネル状態情報の報告方法であって、
ネットワーク側装置が、ユーザー装置に、１つまたは複数の基準信号リソースペア及び報告モードを割り当てるステップと、
前記ネットワーク側装置が、前記ユーザー装置がそれぞれの対応する報告モードに基づいて報告した前記基準信号リソースペアのチャネル状態情報を受信するステップとを備え、
前記基準信号リソースペアは、１つのダウンリンクチャネル測定基準信号リソースと、１つのダウンリンク干渉測定基準信号リソースとを含み、
前記ダウンリンクチャネル測定基準信号リソースは、前記ネットワーク側装置が前記ユーザー装置に割り当てた送受信ポイントのダウンリンクチャネルを測定する１つの基準信号リソースであり、
前記ダウンリンク干渉測定基準信号リソースは、前記ネットワーク側装置が前記ユーザー装置に割り当てた１つの干渉仮定上の干渉を測定する１つの基準信号リソースである
ことを特徴とするマルチポイント・チャネル状態情報の報告方法。
【請求項２】
前記ネットワーク側装置が、ユーザー装置に、１つまたは複数の基準信号リソースペア及び報告モードを割り当てるステップは、
前記ネットワーク側装置が、前記ユーザー装置に１つまたは複数の基準信号リソースペアを割り当てることと、
前記ネットワーク側装置が、前記ユーザー装置に割り当てた各基準信号リソースペアに対応する報告モードを割り当てることと
を備えることを特徴とする請求項１に記載のマルチポイント・チャネル状態情報の報告方法。
【請求項３】
前記ネットワーク側装置が、前記ユーザー装置に１つまたは複数の基準信号リソースペアを割り当てることは、
前記ネットワーク側装置が、前記ユーザー装置に割り当てた送受信ポイントのダウンリンクチャネルを測定する各基準信号リソースと、それぞれの干渉仮定上の干渉を測定する各基準信号リソースとに対して番号を付けることと、
前記ネットワーク側装置が、前記ユーザー装置に割り当てるべく１つまたは複数の基準信号リソースペアに含まれるダウンリンクチャネル測定基準信号リソースの番号と、ダウンリンク干渉測定基準信号リソースの番号とからなる番号ペアを、前記ユーザー装置に送信することと
を備えることを特徴とする請求項２に記載のマルチポイント・チャネル状態情報の報告方法。
【請求項４】
前記ネットワーク側装置が、前記ユーザー装置に１つまたは複数の基準信号リソースペアを割り当てることは、
前記ネットワーク側装置が、前記ユーザー装置に割り当てた送受信ポイントのダウンリンクチャネルを測定する各基準信号リソースと、それぞれの干渉仮定上の干渉を測定する各基準信号リソースとを１対１に組み合わせ、且つ各組み合わせに対して番号を付けることと、
前記ネットワーク側装置は、前記ユーザー装置に割り当てるべく１つまたは複数の基準信号リソースペアに対応する番号を、前記ユーザー装置に送信することと
を備えることを特徴とする請求項２に記載のマルチポイント・チャネル状態情報の報告方法。
【請求項５】
前記ネットワーク側装置は、前記基準信号リソースペアに１つの優先順位番号を割り当てる
ことを特徴とする請求項２に記載のマルチポイント・チャネル状態情報の報告方法。
【請求項６】
前記ネットワーク側装置が、ユーザー装置に、１つまたは複数の基準信号リソースペア及び報告モードを割り当てることは、
前記ネットワーク側装置が、前記ユーザー装置に、１つまたは複数のチャネル状態情報の報告構成を割り当て、各チャネル状態情報の報告構成に周期報告モード及び非周期報告モードの少なくとも一方が含まれることと、
前記ネットワーク側装置が、各チャネル状態情報の報告構成に、対応する基準情報リソースペアを割り当てることとを備えることを特徴とする請求項１に記載のマルチポイント・チャネル状態情報の報告方法。
【請求項７】
前記ネットワーク側装置が、前記ユーザー装置に、１つまたは複数のチャネル状態情報の報告構成を割り当てることは、
前記ネットワーク側装置が、前記ユーザー装置に１つまたは複数の報告構成番号を送信することを備え、
前記ネットワーク側装置から前記ユーザー装置へ送信する各報告構成番号は、いずれも前記ネットワーク側装置から前記ユーザー装置へ送信する他の報告構成番号と異なる
ことを特徴とする請求項６に記載のマルチポイント・チャネル状態情報の報告方法。
【請求項８】
前記ネットワーク側装置は、前記チャネル状態情報の報告構成に、１つの優先順位番号を割り当てることを特徴とする請求項７に記載のマルチポイント・チャネル状態情報の報告方法。
【請求項９】
前記ネットワーク側装置が各チャネル状態情報の報告構成に、対応する基準情報リソースペアを割り当てることは、
前記ネットワーク側装置が、前記ユーザー装置に割り当てた測定送受信ポイントのダウンリンクチャネルを測定する各基準信号リソースと、それぞれの干渉仮定上の干渉を測定する各基準信号リソースとに対して番号を付けることと、
前記ネットワーク側装置が、前記チャネル状態情報の報告構成に割り当てるべく基準信号リソースペアに含まれるダウンリンクチャネル測定基準信号リソースの番号と、ダウンリンク干渉測定基準信号リソースの番号とからなる番号ペアを、前記チャネル状態情報の報告構成に対応するユーザー装置に送信する
ことを特徴とする請求項６に記載のマルチポイント・チャネル状態情報の報告方法。
【請求項１０】
前記ネットワーク側装置が各チャネル状態情報の報告構成に、対応する基準情報リソースペアを割り当てることは、
前記ネットワーク側装置が、前記ユーザー装置に割り当てた送受信ポイントのダウンリンクチャネルを測定する各基準信号リソースと、それぞれの干渉仮定上の干渉を測定する各基準信号リソースとを１対１に組み合わせ、且つ各組み合わせに対して番号を付けることと、
前記ネットワーク側装置が、前記チャネル状態情報の報告構成に割り当てるべく基準信号リソースペアに対応する番号を、前記チャネル状態情報の報告構成に対応するユーザー装置に送信することと
を備えることを特徴とする請求項６に記載のマルチポイント・チャネル状態情報の報告方法。
【請求項１１】
ネットワーク側装置であって、
ユーザー装置に１つまたは複数の基準信号リソースペア及び報告モードを割り当てる、割り当てモジュールと、
前記ユーザー装置が、それぞれ前記割り当てモジュールにより割り当てた報告モードに基づいて報告する、対応する基準信号リソースペアのチャネル状態情報を受信する、受信モジュールとを備え、
前記基準信号リソースペアは、１つのダウンリンクチャネル測定基準信号リソースと、１つのダウンリンク干渉測定基準信号リソースとを含み、
前記ダウンリンクチャネル測定基準信号リソースは、前記ネットワーク側装置が前記ユーザー装置に割り当てた送受信ポイントのダウンリンクチャネルを測定する１つの基準信号リソースであり、
前記ダウンリンク干渉測定基準信号リソースは、前記ネットワーク側装置により前記ユーザー装置に割り当てた、１つの干渉仮定上の干渉を測定する１つの基準信号リソースである
ことを特徴とするネットワーク側装置。
【請求項１２】
前記割り当てモジュールは、
前記ユーザー装置に１つまたは複数の基準信号リソースペアを割り当て、
前記ユーザー装置に割り当てた各基準信号リソースペアに、対応する報告モードを割り当てる
ことを特徴とする請求項１１に記載のネットワーク側装置。
【請求項１３】
前記割り当てモジュールは、
１つの基準信号リソースペアに割り当てた報告モードが周期報告モード及び非周期報告モードの少なくとも一方である場合、前記基準信号リソースペアに１つの優先順位番号を割り当てる
ことを特徴とする請求項１２に記載のネットワーク側装置。
【請求項１４】
前記割り当てモジュールは、
前記ユーザー装置に１つまたは複数のチャネル状態情報の報告構成を割り当て、各チャネル状態情報の報告構成には、１つの報告モードが含まれ、
各チャネル状態情報の報告構成に、対応する基準情報リソースペアを割り当てる
ことを特徴とする請求項１１に記載のネットワーク側装置。
【請求項１５】
前記割り当てモジュールは、
前記チャネル状態情報の報告構成に含まれる報告モードが周期報告モード及び非周期報告モードの少なくとも一方である場合、前記チャネル状態情報の報告構成に、１つの優先順位番号を割り当てる
ことを特徴とする請求項１４に記載のネットワーク側装置。
【請求項１６】
マルチポイント・チャネル状態情報の報告方法であって、
ユーザー装置が、ネットワーク側装置により割り当てた１つまたは複数の基準信号リソースペアと、報告モードとを受信するステップと、
前記ユーザー装置が、それぞれの対応する報告モードに基づいて、前記ネットワーク側装置に、前記基準信号リソースペアのチャネル状態情報を報告するステップとを備え、
前記基準信号リソースペアは、１つのダウンリンクチャネル測定基準信号リソースと、１つのダウンリンク干渉測定基準信号リソースとを含み、
前記ダウンリンクチャネル測定基準信号リソースは、前記ネットワーク側装置が前記ユーザー装置に割り当てた送受信ポイントのダウンリンクチャネルを測定する１つの基準信号リソースであり、
前記ダウンリンク干渉測定基準信号リソースは、前記ネットワーク側装置が前記ユーザー装置に割り当てた１つの干渉仮定上の干渉を測定する１つの基準信号リソースである
ことを特徴とするマルチポイント・チャネル状態情報の報告方法。
【請求項１７】
前記ユーザー装置が、ネットワーク側装置により割り当てた１つまたは複数の基準信号リソースペアと、報告モードとを受信することは、
前記ユーザー装置が、前記ネットワーク側装置により割り当てた１つまたは複数の基準信号リソースペアを受信することと、
前記ユーザー装置が、前記ネットワーク側装置により、各基準信号リソースペアに割り当てた報告モードを受信することと
を備えることを特徴とする請求項１６に記載のマルチポイント・チャネル状態情報の報告方法。
【請求項１８】
前記ユーザー装置が前記ネットワーク側装置により割り当てた１つまたは複数の基準信号リソースペアを受信することは、
前記ユーザー装置が、前記ネットワーク側装置から送信した１つまたは複数の基準信号リソースペアに含まれるダウンリンクチャネル測定基準信号リソースの番号と、ダウンリンク干渉測定基準信号リソースの番号とからなる番号ペアを受信することを備え、
前記番号は、前記ネットワーク側装置が、前記ユーザー装置に割り当てた送受信ポイントのダウンリンクチャネルを測定する各基準信号リソースと、それぞれの干渉仮定上の干渉を測定する各基準信号リソースとに対して番号を付けて得た番号である
ことを特徴とする請求項１７に記載のマルチポイント・チャネル状態情報の報告方法。
【請求項１９】
前記ユーザー装置が、前記ネットワーク側装置により割り当てた１つまたは複数の基準信号リソースペアを受信することは、
前記ユーザー装置が、前記ネットワーク側装置から送信した１つまたは複数の基準信号リソースペアに対応する番号を受信することを備え、
前記番号は、前記ネットワーク側装置が、前記ユーザー装置に割り当てた送受信ポイントのダウンリンクチャネルを測定する各基準信号リソースと、それぞれの干渉仮定上の干渉を測定する各基準信号リソースとを１対１に組み合わせ、且つ各組み合わせに対して番号を付けて得た番号である
ことを特徴とする請求項１７に記載のマルチポイント・チャネル状態情報の報告方法。
【請求項２０】
前記ユーザー装置は、前記ネットワーク側装置が前記基準信号リソースペアに割り当てた１つの優先順位番号を受信し、
前記ユーザー装置により報告したそれぞれの基準信号リソースペアの、報告タイプの優先順位が同等であるチャネル状態情報が衝突される場合、
前記ユーザー装置は、前記ネットワーク側装置により前記それぞれの基準信号リソースペアに割り当てた優先順位番号を比較し、且つ、より高い優先順位を示す優先順位番号に対応する基準信号リソースペアのチャネル状態情報を報告する
ことを特徴とする請求項１７に記載のマルチポイント・チャネル状態情報の報告方法。
【請求項２１】
前記ユーザー装置が、ネットワーク側装置により割り当てた１つまたは複数の基準信号リソースペアと、報告モードとを受信することは、
前記ユーザー装置が、記ネットワーク側装置により割り当てた１つまたは複数のチャネル状態情報の報告構成を受信し、各チャネル状態情報の報告構成に１つの報告モードが含まれることと、
前記ユーザー装置が、前記ネットワーク側装置により、各チャネル状態情報の報告構成に割り当てた基準情報リソースペアを受信することと
を特徴とする請求項１６に記載のマルチポイント・チャネル状態情報の報告方法。
【請求項２２】
前記ユーザー装置が、前記ネットワーク側装置により割り当てた１つまたは複数のチャネル状態情報の報告構成を受信することは、
前記ユーザー装置が、前記ネットワーク側装置により送信した１つまたは複数の報告構成番号を受信することを備え、
前記ネットワーク側装置から前記ユーザー装置へ送信する各報告構成番号は、いずれも前記ネットワーク側装置から前記ユーザー装置へ送信する他の報告構成番号と異なる
ことを特徴とする請求項２１に記載のマルチポイント・チャネル状態情報の報告方法。
【請求項２３】
前記ユーザー装置は、前記ネットワーク側装置により前記チャネル状態情報の報告構成に割り当てた１つの優先順位番号を受信し、
前記ユーザー装置により報告したそれぞれのチャネル状態情報の報告構成の、報告タイプの優先順位が同等であるチャネル状態情報が衝突される場合、
前記ユーザー装置は、前記ネットワーク側装置により前記それぞれのチャネル状態情報の報告構成に割り当てた優先順位番号を比較し、且つより高い優先順位を示す優先順位番号に対応するチャネル状態情報の報告構成の基準信号リソースペアのチャネル状態情報を報告する
ことを特徴とする請求項２２に記載のマルチポイント・チャネル状態情報の報告方法。
【請求項２４】
前記ユーザー装置が、前記ネットワーク側装置により、各チャネル状態情報の報告構成に割り当てた基準情報リソースペアを受信することは、
前記ユーザー装置が、前記ネットワーク側装置から送信した前記チャネル状態情報の報告構成の基準信号リソースペアに含まれるダウンリンクチャネル測定基準信号リソースの番号と、ダウンリンク干渉測定基準信号リソースの番号とからなる番号ペアを受信することを備え、
前記番号は、前記ネットワーク側装置が、前記ユーザー装置に割り当てた送受信ポイントのダウンリンクチャネルを測定する各基準信号リソースと、それぞれの干渉仮定上の干渉を測定する各基準信号リソースとに対して番号を付けて得た番号である
ことを特徴とする請求項２１に記載のマルチポイント・チャネル状態情報の報告方法。
【請求項２５】
前記ユーザー装置が、前記ネットワーク側装置により、各チャネル状態情報の報告構成に割り当てた基準情報リソースペアを受信することは、
前記ユーザー装置が、前記ネットワーク側装置から送信した、前記チャネル状態情報の報告構成に割り当てるべく基準信号リソースペアに対応する番号を受信することを備え、
前記番号は、前記ネットワーク側装置が、前記ユーザー装置に割り当てた送受信ポイントのダウンリンクチャネルを測定する各基準信号リソースと、それぞれの干渉仮定上の干渉を測定する各基準信号リソースとを１対１に組み合わせ、且つ各組み合わせに対して番号を付けて得た番号である
ことを特徴とする請求項２１に記載のマルチポイント・チャネル状態情報の報告方法。
【請求項２６】
前記チャネル状態情報の報告構成に含まれる報告モードが周期報告モードを含む場合、前記ユーザー装置が、それぞれの対応する報告モードに基づいて、前記ネットワーク側装置に、前記基準信号リソースペアのチャネル状態情報を報告することは、
前記ユーザー装置が、前記チャネル状態情報の報告構成に含まれる周期報告モードに基づいて、報告タイプを選択することと、
前記ユーザー装置が、前記ネットワーク側装置により前記チャネル状態情報の報告構成に割り当てたチャネル状態情報の報告周期及び報告サブフレーム・シフト情報により、対応する報告タイプに基づいて、前記チャネル状態情報の報告構成に割り当てた基準信号リソースペアのチャネル状態情報を報告することとを備え、
前記報告タイプは、現在既存の周期報告モードの報告タイプであるか、現在既存の周期報告モードに基づいて修正して得た報告タイプであるか、または、改めて定義した周期報告モードの報告タイプである
ことを特徴とする請求項２１に記載のマルチポイント・チャネル状態情報の報告方法。
【請求項２７】
ユーザー装置であって、
ネットワーク側装置により割り当てた１つまたは複数の基準信号リソースペア及び報告モードを受信する、受信モジュールと、
前記受信モジュールが受信したそれぞれの対応する報告モードに基づいて、前記ネットワーク側装置に、前記基準信号リソースペアのチャネル状態情報を報告する、報告モジュールと、
を備え、
前記基準信号リソースペアは、１つのダウンリンクチャネル測定基準信号リソースと、１つのダウンリンク干渉測定基準信号リソースとを含み、
前記ダウンリンクチャネル測定基準信号リソースは、前記ネットワーク側装置が前記ユーザー装置に割り当てた送受信ポイントのダウンリンクチャネルを測定する１つの基準信号リソースであり、
前記ダウンリンク干渉測定基準信号リソースは、前記ネットワーク側装置が前記ユーザー装置に割り当てた１つの干渉仮定上の干渉を測定する１つの基準信号リソースである
ことを特徴とするユーザー装置。
【請求項２８】
前記受信モジュールは、
前記ネットワーク側装置により割り当てた１つまたは複数の基準信号リソースペアを受信し、
前記ネットワーク側装置により、各基準信号リソースペアに割り当てた報告モードを受信する
ことを特徴とする請求項２７に記載のユーザー装置。
【請求項２９】
前記受信モジュールは、
受信した、前記ネットワーク側装置により１つの基準信号リソースペアに割り当てた報告モードが、周期報告モード及び非周期報告モードの少なくとも一方である場合、前記ネットワーク側装置は、前記基準信号リソースペアに割り当てた１つの優先順位番号を受信し、
前記ユーザー装置は、前記報告モジュールにより報告すべきそれぞれの基準信号リソースペアの、報告タイプの優先順位が同等であるチャネル状態情報が衝突される場合、前記受信モジュールが受信した、前記ネットワーク側装置により前記それぞれの基準信号リソースペアに割り当てた優先順位番号を比較し、且つ、より高い優先順位を示す優先順位番号に対応する基準信号リソースペアのチャネル状態情報を報告するように前記報告モジュールに通知する、処理モジュールをさらに備える
ことを特徴とする請求項２８に記載のユーザー装置。
【請求項３０】
前記受信モジュールは、
前記ネットワーク側装置により割り当てた１つまたは複数のチャネル状態情報の報告構成を受信し、各チャネル状態情報の報告構成には、１つの報告モードが含まれ、
前記ネットワーク側装置により、各チャネル状態情報の報告構成に割り当てた基準情報リソースペアを受信する
ことを特徴とする請求項２７に記載のユーザー装置。
【請求項３１】
前記受信モジュールは、
前記ネットワーク側装置により送信した１つまたは複数の報告構成番号を受信し、
前記ネットワーク側装置から前記ユーザー装置へ送信する各報告構成番号は、いずれも前記ネットワーク側装置から前記ユーザー装置へ送信する他の報告構成番号と異なる
ことを特徴とする請求項３０に記載のユーザー装置。
【請求項３２】
処理モジュールは、前記報告モジュールにより報告すべきそれぞれのチャネル状態情報の報告構成の、報告タイプの優先順位が同等であるチャネル状態情報が衝突される場合、前記受信モジュールが受信した、前記ネットワーク側装置により前記それぞれのチャネル状態情報の報告構成に割り当てた優先順位番号を比較し、且つ、より高い優先順位を示す優先順位番号に対応するチャネル状態情報の報告構成の基準信号リソースペアのチャネル状態情報を報告するように前記報告モジュールに通知する
ことを特徴とする請求項３０に記載のユーザー装置。
【発明の詳細な説明】
【技術分野】
【０００１】
本発明は通信技術分野に関し、特にマルチポイント・チャネル状態情報の報告方法及び装置に関する。
【背景技術】
【０００２】
本出願は２０１２年５月１０日における国特許局に提出し、出願番号が２０１２１０１４３７７４.０であり、発明名称が「マルチポイント・チャネル状態情報の報告方法及び装置」である中国特許出願を基礎とする優先権を主張し、その開示の総てをここに取り込む。
ＬＴＥ-Ａ（Ｌｏｎｇ Ｔｅｒｍ Ｅvｏｌｕｔｉｏｎ Ａｄｖａｎｃｅ，ロング・ターム・エボリューション・アドバンスト）システムには、ＵＥ（Ｕsｅｒ Ｅqｕｉpｍｅｎｔ，ユーザー装置）隣接セルからのセルのカバリッジ縁端への干渉を低減して、セル縁端でのユーザー装置体験を向上するため、ＣｏＭＰ（Ｃｏｏｒｄｉｎａｔｅｄ Ｍｕｌｔｉｐｏｉｎｔ Ｔｒａｎｓｍｉｓｓｉｏｎ/ Ｒｅｃｅｐｔｉｏｎ，セル間協調送受信）を用いる。
【０００３】
セル間協調送受信技術とは、地理的に分離された複数の送受信ポイント間の協調をいう。一般的に、複数の送受信ポイントは、異なるセルの基地局を指すか、または、１つのセルの基地局と当該基地局により制御する複数のＲＲＨ（Ｒｅｍｏｔｅ Ｒａｄｉｏ Ｈｅａｄ）を指す。
セル間協調送受信技術は、ダウンリンク協調送受信及びアップリンクジョイント受信に分けることができる。
【０００４】
ダウンリンクセル間協調送受信は、主にＣＳ/ＣＢ（Ｃｏｏｒｄｉｎａｔｅｄ Ｓｃｈｅｄｕｌｉｎｇ/Ｃｏｏｒｄｉｎａｔｅｄ Ｂｅａｍｆｏｒｍｉｎｇ）及びＪＰ（Ｊｏｉｎｔ Ｐｒｏｃｅｓｓｉｎｇ）との２種の伝送案に分けられる。
【０００５】
ＣＳ/ＣＢ伝送における複数の送受信ポイントうちの１つの送受信ポイントにおいて、ユーザー装置へ有用な信号を送信し、他の送受信ポイントにおいて、ジョイントスケジューリング及びビームフォーミングによって、ユーザー装置への干渉を最大限に低減する。
【０００６】
ＪＰ伝送案は、さらにＪＴ（Ｊｏｉｎｔ Ｔｒａｎｓｍｉｓｓｉｏｎ）及びＤＰＳ（Ｄｙｎａｍｉｃ Ｐｏｉｎｔ Ｓｅｌｅｃｔｉｏｎ）に分けられる。ＪＴにおける複数の送受信ポイントにおいて、ユーザー装置へ有用な信号を送信することにより、ユーザー装置の受信信号を強化する。ＤＰＳ伝送は、ユーザー装置の送受信ポイントを動的に切り替え、常に協調送受信ポイントからユーザー装置に対して最良のポイントを選択して、ユーザー装置信号を伝送する。これらのセル間協調送受信案は、相互に組み合わせて利用してもよいし、ＤＢ（Ｄｙｎａｍｉｃ Ｂｌａｎｋｉｎｇ）と組み合わせて、ある時間・周波数リソースにある送受信ポイントが信号を送信しないように設定してもよい。
【０００７】
セル間協調送受信をサポートするため、ネットワークにおいて、ＣＳＩ−ＲＳ（Ｃｈａｎｎｅｌ Ｓｔａｔｅ Ｉｎｆｏｒｍａｔｉｏｎ−Ｒｅｆｅｒｅｎｃｅ Ｓｉｇｎａｌ，チャネル状態情報基準信号）のようなチャネルを測定するダウンリンク基準信号を、１つまたは複数を割り当てる。ユーザー装置は、ネットワークに設定されたダウンリンクチャネル測定基準信号により、各送受信ポイントのダウンリンクチャネルを測定することができる。ネットワークには、１つまたは複数の干渉を測定するダウンリンク基準信号がさらに割り当てられ、ユーザー装置は、干渉測定ダウンリンク基準信号により、１つまたは複数の干渉仮定上の干渉を測定することができる。ユーザー装置は、測定して得られた各送受信ポイントのダウンリンクチャネル及び各干渉仮定上の干渉に基づいて、各ポイントの、１つまたは複数の干渉仮定上のチャネル状態情報を獲得することができる。それぞれの干渉仮定により、１つの送受信ポイントのチャネル状態情報には、異なるＲＩ（Ｒａｎｋ Ｉｎｄｉｃａｔｏｒ，ランク指標）/ＰＭＩ（Ｐｒｅｃｏｄｉｎｇ Ｍａｔｒｉｘ Ｉｎｄｉｃａｔｏｒ，プリコード化マトリクス指標）及びＣＱＩ（Ｃｈａｎｎｅｌ Ｑｕａｌｉｔｙ Ｉｎｄｉｃａｔｏｒ，チャネル品質指標）が含まれる。上述の過程において、送受信ポイントごとに、１つの基準信号リソースが対応し、また１つまたは複数の物理送受信ポイントが含まれる可能性がある。各干渉仮定に対応する干渉測定基準信号リソースは１つである。
【０００８】
チャネル状態情報を獲得した後、ユーザー装置は、伝送案のニーズに応じて、各送受信ポイントに１つまたは複数の干渉仮定上のチャネル状態情報を報告する。ＬＴＥ（Ｌｏｎｇ Ｔｅｒｍ Ｅｖｏｌｕｔｉｏｎ）システムは、ＰＵＣＣＨ（Ｐｈｙｓｉｃａｌ Ｕｐｌｉｎｋ Ｃｏｎｔｒｏｌ Ｃｈａｎｎｅｌ，物理アップリンク制御チャネル）に基づく周期報告と、ＰＵＳＣＨ（Ｐｈｙｓｉｃａｌ Ｕｐｌｉｎｋ Ｓｈａｒｅｄ Ｃｈａｎｎｅｌ，物理アップリンク共有チャネル）に基づく非周期報告との２つのチャネル状態情報報告仕様をサポートする。
【０００９】
ＰＵＣＣＨに基づく周期報告は、報告モード１-０と、報告モード１-１と、報告モード２-０と、報告モード２-１とを含む。ここで、報告モード１-０及び１-１には、バンドＣＱＩ情報が含まれる。報告モード２-０及び２-１には、ユーザーセレクション・サブバンドＣＱＩ情報が含まれる。報告モード１-０及び２-０には、ＰＭＩ情報が含まない。報告モード１-１及び報告モード２-１には、バンドＰＭＩ情報が含まれる。また、報告モード１-１には、サブモード１及びサブモード２が含まれ、モード9を伝送し、基地局8アンテナポートのチャネル状態情報を報告する。上述の報告モードには、報告タイプ１、１ａ、報告タイプ２、２ａ、２ｂ、２ｃ、報告タイプ３、報告タイプ４、報告タイプ５及び報告タイプ6が含まれ、ＣＱＩ、ＲＩ/ＰＭＩ及びＰＴＩ（Ｐｒｅｃｏｄｉｎｇ Ｔｙｐｅ Ｉｎｄｉｃａｔｏｒ，プリコーディングタイプ指標）情報を報告する。ここで、報告タイプ１は、ユーザーセレクション・サブバンドＣＱＩ報告をサポートする。報告タイプ１ａは、ユーザーセレクション・サブバンドＣＱＩ及び第二ＰＭＩ報告をサポートする。報告タイプ２、２ｂ及び２ｃは、バンドＣＱＩ及びＰＭＩ報告をサポートする。報告タイプ２ａは、バンドＰＭＩ報告をサポートする。報告タイプ３は、ＲＩ報告をサポートする。報告タイプ４は、バンドＣＱＩ報告をサポートする。報告タイプ５は、ＲＩ及びバンドＰＭＩ報告をサポートする。報告タイプ6は、ＲＩ及びＲＴＩ報告をサポートする。
【００１０】
ネットワークは、高位層シグナリングを介して半止水式（Ｓｅｍｉ−ｓｔａｔｉｃ）で各サービスセルのチャネル状態情報報告の報告タイプと、ＣＱＩ/ＰＭＩ報告の報告周期、サブフレーム・シフトと、ＲＩ報告の報告周期と、サブフレーム・シフトとを割り当てる。
【００１１】
ユーザーから報告した各サービスセルの異なる報告タイプの間に、異なる周期及びサブフレーム・シフトが割り当てられ、チャネル情報報告の過程に、衝突する可能性もある。衝突される場合、端末は、報告タイプの優先順位及びサービスセル番号順位に従って報告タイプを決める。報告タイプの衝突は、同一サービスセルの異なる優先順位の報告タイプの衝突と、異なるサービスセルの異なる優先順位の報告タイプの衝突と、異なるサービスセルの同一優先順位の報告タイプの衝突とがある。同一サービスセルの異なる優先順位の報告タイプの衝突の場合、報告タイプ３、５が報告タイプ6と比べれば、報告タイプ１、１ａ、２、２ａ、２ｂ、２ｃ及び報告タイプ４は、高い優先順位を有し、低い優先順位の報告タイプは放棄される。異なるサービスセルの異なる優先順位の報告タイプ衝突において、報告タイプ３、５、６が報告タイプ２ａと比べれば、報告タイプ１、１ａ、２、２ｂ、２ｃ及び報告タイプ４は、高い優先順位を有し、低い優先順位の報告タイプは放棄される。ネットワークは、各サービスセルにサービスセル番号を割り当てるが、異なるサービスセルの同一優先順位の報告タイプ衝突場合、番号が高いサービスセルの報告タイプが放棄される。
【００１２】
ＰＵＳＣＨに基づく非周期チャネル情報報告は、報告モード１-２、報告モード２-０、報告モード２-２、報告モード３-０及び報告モード３-１を含む。ここで、報告モード１-２には、バンドＣＱＩ情報が含まれる。報告モード２-０及び２-２は、ユーザーセレクション・サブバンドＣＱＩ情報が含まれる。報告モード３-０及び３-１には、高位層により割り当てたサブバンドのＣＱＩ情報が含まれる。報告モード２-０及び３-０には、ＰＭＩ情報が含まない。報告モード３-１には、単一ＰＭＩ情報が含まれる。報告モード１-２及び２-２には、複数のＰＭＩ情報が含まれる。ネットワークは、高位層シグナリングを介してユーザー装置の非周期フィードバックのために半止水式で１つの報告モードを割り当てる。ネットワークは、ＰＤＣＣＨ（Ｐｈｙｓｉｃａｌ Ｄｏwｎｌｉｎｋ Ｃｏｎｔｒｏｌ Ｃｈａｎｎｅｌ，物理ダウンリンク制御チャネル）を介して、ユーザー装置にＤＣＩシグナリングを送信し、非周期チャネル情報報告をトリガーする。
【発明の概要】
【発明が解決しようとする課題】
【００１３】
本発明を考案する間、発明者達は、従来技術に下記のような問題点があると考える。
従来の周期及び非周期チャネル状態情報の報告方法は、１つの送受信ポイントの伝送案のために案出した原因で、送受信ポイントには１つのみの報告モードが設定されている。しかし、１つの報告モードにおける報告情報が同一の干渉測定に基づくため、複数の送受信ポイント、及び各送受信ポイントの１つまたは複数の干渉仮定のチャネル状態情報報告をサポートできない。
【課題を解決するための手段】
【００１４】
本発明にかかる実施例は、マルチポイント・チャネル状態情報の報告方法及び装置を提供し、従来技術において、ユーザー装置による１つまたは複数の干渉仮定上のチャネル状態情報に対する報告を行うことができない問題を解決する。
【００１５】
上記目的を解決するための、本発明にかかる実施例により提供するマルチポイント・チャネル状態情報の報告方法は、ネットワーク側装置が、ユーザー装置に、１つまたは複数の基準信号リソースペア及び報告モードを割り当てるステップと、前記ネットワーク側装置が、前記ユーザー装置がそれぞれの対応する報告モードに基づいて報告した前記基準信号リソースペアのチャネル状態情報を受信するステップとを備える。
前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースであり、前記ダウンリンク干渉測定基準信号リソースは、前記ネットワーク側装置が前記ユーザー装置に割り当てた１つの干渉仮定上の干渉を測定する１つの基準信号リソースである。
【００１６】
また、本発明にかかる実施例により提供したネットワーク側装置は、ユーザー装置に１つまたは複数の基準信号リソースペア及び報告モードを割り当てる割り当てモジュールと、前記ユーザー装置が、それぞれ前記割り当てモジュールにより割り当てた報告モードに基づいて報告する、対応する基準信号リソースペアのチャネル状態情報を受信する受信モジュールとを備える。
前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースであり、前記ダウンリンク干渉測定基準信号リソースは、前記ネットワーク側装置により前記ユーザー装置に割り当てた１つの干渉仮定上の干渉を測定する１つの基準信号リソースである。
【００１７】
また、本発明にかかる実施例により提供するマルチポイント・チャネル状態情報の報告方法は、
ユーザー装置が、ネットワーク側装置により割り当てた１つまたは複数の基準信号リソースペアと、報告モードとを受信するステップと、前記ユーザー装置が、それぞれの対応する報告モードに基づいて、前記ネットワーク側装置に、前記基準信号リソースペアのチャネル状態情報を報告するステップとを備える。
前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースであり、前記ダウンリンク干渉測定基準信号リソースは、前記ネットワーク側装置が前記ユーザー装置に割り当てた１つの干渉仮定上の干渉を測定する１つの基準信号リソースである。
【００１８】
また、本発明にかかる実施例により提供するユーザー装置は、
ネットワーク側装置により割り当てた１つまたは複数の基準信号リソースペア及び報告モードを受信する受信モジュールと、前記受信モジュールが受信したそれぞれの対応する報告モードに基づいて、前記ネットワーク側装置に、前記基準信号リソースペアのチャネル状態情報を報告する報告モジュールとを備える。
前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースであり、前記ダウンリンク干渉測定基準信号リソースは、前記ネットワーク側装置が前記ユーザー装置に割り当てた１つの干渉仮定上の干渉を測定する１つの基準信号リソースである。
【発明の効果】
【００１９】
従来技術と比べ、本発明にかかる実施例により提出した発明は、下記のメリットを有する。
本発明にかかる実施例によれば、ユーザー装置に割り当てるチャネル測定基準信号リソース及び干渉測定基準信号リソースからなる基準信号リソースペアに、対応する報告モードを割り当てることができる。または、ユーザー装置に、複数の、対応する報告モードが含まれるチャネル状態情報の報告構成を割り当てることができる。且つ、各チャネル状態情報の報告構成に、チャネル測定基準信号リソース及び干渉測定基準信号リソースからなる基準信号リソースペア１つを割り当てる。そして、ユーザー装置は、対応する報告モードに応じて、基準信号リソースペアのチャネル状態情報を報告する。これにより、ユーザー装置が、１つまたは複数の送受信ポイントに、１つまたは複数の干渉仮定上のチャネル状態情報を報告することができるようになる。
【図面の簡単な説明】
【００２０】
【図１】本発明にかかる実施例により提供するマルチポイント・チャネル状態情報の報告方法が、ネットワーク側装置により実施されるフローチャートである。
【図２】本発明にかかる実施例により提供する、複数の基準信号リソースペアの報告モード構成に基づいて実現するマルチポイント・チャネル状態情報の報告方法のフローチャートである。
【図３】本発明にかかる実施例により提供する、複数のチャネル状態情報の報告構成に基づいて実現するマルチポイント・チャネル状態情報の報告方法のフローチャートである。
【図４】本発明にかかる実施例により提供するネットワーク側装置の構造図である。
【図５】本発明にかかる実施例により提供するユーザー装置の構造図である。
【発明を実施するための形態】
【００２１】
背景技術で説明したように、ダウンリンクセル間協調送受信において、ユーザー装置は、ネットワークに、１つまたは複数の送受信ポイントのチャネル状態情報を報告する必要がある。各送受信ポイントのチャネル状態情報には、当該送受信ポイントの１つまたは複数の干渉仮定上のチャネル状態情報が含まれる可能性があるが、このような報告処理は、従来技術により実施できない。
【００２２】
このような問題点を解決するために、本発明にかかる実施例により提供するマルチ送受信ポイントチャネル状態情報の報告方法は、ユーザー装置に割り当てるチャネル測定基準信号リソース及び干渉測定基準信号リソースペアに、１つの報告モードを割り当てる方法によるか、または、システムがユーザー装置に、複数の報告モード構成を割り当て、且つ、各報告モード構成に、１つのチャネル測定基準信号リソース及び干渉測定基準信号リソースペアを割り当てる方法により、ユーザー装置が１つ又は複数の送受信ポイントに１つまたは複数の干渉仮定上のチャネル状態情報を報告することが、実施できるようになる。
【００２３】
図１は、本発明にかかる実施例により提供するマルチポイント・チャネル状態情報の報告方法的フローチャートである。
当該方法は、ステップＳ１０１と、ステップＳ１０２とを備える。
【００２４】
ステップＳ１０１において、ネットワーク側装置は、ユーザー装置に、１つまたは複数の基準信号リソースペア及び報告モードを割り当てる。
【００２５】
ここで、前記基準信号リソースペアは、１つのダウンリンクチャネル測定基準信号リソース及び１つのダウンリンク干渉測定基準信号リソースからなる。
【００２６】
前記ダウンリンクチャネル測定基準信号リソースは、前記ネットワーク側装置により、前記ユーザー装置に割り当てた送受信ポイントのダウンリンクチャネルを測定する１つの基準信号リソースである。
【００２７】
前記ダウンリンク干渉測定基準信号リソースは、前記ネットワーク側装置が前記ユーザー装置に割り当てた１つの干渉仮定上の干渉を測定する１つの基準信号リソースである。
【００２８】
実際の応用において、当該ステップの実施は、２つの方法があるが、以下で詳細に説明する。
【００２９】
[方法１]
ネットワーク側装置は、ユーザー装置に、１つまたは複数の基準信号リソースペアを設定し、そして、それぞれの各前記ユーザー装置に割り当てた基準信号リソースペアに、対応する報告モードを割り当てる。
【００３０】
ここで、基準信号リソースペアの設定方法は、下記２つの仕様で実現できる。
【００３１】
〈仕様Ａ〉
リソースに対して単独に番号を付けて、２つの番号からなる番号ペアにより、割り当てる。
【００３２】
まず、前記ネットワーク側装置は、前記ユーザー装置に割り当てた測定送受信ポイントのダウンリンクチャネルを測定する各基準信号リソースと、それぞれの干渉仮定上の干渉を測定する各基準信号リソースとに対して、番号をそれぞれ付ける。
【００３３】
そして、前記ネットワーク側装置は、前記ユーザー装置に割り当てるべく１つまたは複数の基準信号リソースペアに含まれるダウンリンクチャネル測定基準信号リソースの番号と、ダウンリンク干渉測定基準信号リソースの番号からなる番号ペアを、前記ユーザー装置に送信する。
【００３４】
〈仕様Ｂ〉
リソースをペアになるように組み合わせ、かつ、このような組み合わせについて番号をつける。そして、リソースペア番号により割り当てる。
【００３５】
まず、前記ネットワーク側装置は、前記ユーザー装置に割り当てた送受信ポイントのダウンリンクチャネルを測定する各基準信号リソースと、それぞれの干渉仮定上の干渉を測定する各基準信号リソースとを１対１に組み合わせ、かつ各組み合わせに対して番号をつける。
【００３６】
そして、前記ネットワーク側装置は、前記ユーザー装置に割り当てるべく１つまたは複数の基準信号リソースペアに対応する番号を、それぞれ前記ユーザー装置に送信する。
【００３７】
実際の実施場合、実のニーズに応じて、基準信号リソースペアの割り当て仕様を選択することができ、これは本発明の保護範囲を影響しない。
【００３８】
また、当該ステップにおいて、前記ネットワーク側装置により基準信号リソースペアに割り当てる報告モードは、周期報告モード及び非周期報告モードの少なくとも一方である。
【００３９】
ここで、前記周期報告モードは、現在既存チャネル状態情報の周期報告モードであるか、または、現在既存チャネル状態情報の周期報告モードに基づいて修正して獲得したチャネル状態周期報告モードであるか、または、改めて定義したチャネル状態情報の周期報告モードである。
【００４０】
前記非周期報告モードは、現在既存チャネル状態情報の非周期報告モードであるか、または、現在既存チャネル状態情報の非周期報告モードに基づいて修正して得たチャネル状態非周期報告モードであるか、または、改めて定義したチャネル状態情報の周期報告モードである。
【００４１】
また、パラメータを設定することもできる。実の処理において、少なくとも優先順位パラメータと報告伝送パラメータとを割り当てる。
【００４２】
[１]優先順位パラメータ
前記ネットワーク側装置が１つの基準信号リソースペアに設定した報告モードが周期報告モード及び非周期報告モードの少なくとも一方である場合、前記ネットワーク側装置は、前記基準信号リソースペアに１つの優先順位番号を割り当てる。
【００４３】
実際に実施する場合に応じて、優先順位番号と優先順位との対応関係を決めることができる。例えば、優先順位番号が小さいほど、優先順位が高くなるように設定する。場合に応じて対応関係を決めることは、本発明の保護範囲に影響しない。
【００４４】
[２]報告伝送パラメータ
前記ネットワーク側装置により１つの基準信号リソースペアに割り当てる報告モードが周期報告モードを含む場合、前記ネットワーク側装置は、前記基準信号リソースペアに、チャネル状態情報の報告周期及び報告サブフレーム・シフト情報を割り当てる。
【００４５】
上述２種類のパラメータの設定順位は、必然の前後関係がないし、設定順位の変化は、本発明の保護範囲に影響しない。
【００４６】
[方法２]
前記ネットワーク側装置は、前記ユーザー装置に、１つまたは複数のチャネル状態情報の報告構成を割り当てる。ここで、チャネル状態情報の報告構成ごとに１つの報告モードが含まれる。そして、各チャネル状態情報の報告構成に、対応する基準情報リソースペアを割り当てる。
【００４７】
実際に実施する場合、チャネル状態情報の報告構成の具体的な設定過程は、番号または他の識別子情報により設定することができる。以下、番号で設定することを説明する。
【００４８】
前記ネットワーク側装置は、前記ユーザー装置に１つまたは複数の報告構成番号を送信する。ここで、前記ネットワーク側装置から前記ユーザー装置へ送信する各報告構成番号は、いずれも前記ネットワーク側装置から前記ユーザー装置へ送信する他の報告構成番号と異なる。
【００４９】
本ステップにおいて、前記ネットワーク側装置により基準信号リソースペアに割り当てる報告モード、周期報告モード及び非周期報告モードの少なくとも一方である。
【００５０】
前記周期報告モードは、現在既存チャネル状態情報の周期報告モードであるか、または、現在既存チャネル状態情報の周期報告モードに基づいて修正して得たチャネル状態周期報告モードであるか、または、改めて定義したチャネル状態情報の周期報告モードである。
【００５１】
前記非周期報告モードは、現在既存チャネル状態情報の非周期報告モードであるか、現在既存チャネル状態情報の非周期報告モードに基づいて修正して得たチャネル状態非周期報告モードであるか、または、改めて定義したチャネル状態情報の周期報告モードである。
【００５２】
また、更なるパラメータ設定及び処理を行うことができる。具体的な処理において、少なくとも優先順位パラメータと報告伝送パラメータの割り当てを含む。
【００５３】
（１）優先順位パラメータ。
前記チャネル状態情報の報告構成に含まれる報告モードが周期報告モード及び非周期報告モードの少なくとも一方である場合、前記ネットワーク側装置は、前記チャネル状態情報の報告構成に、１つの優先順位番号を割り当てる。
【００５４】
実際に実施する場合に応じて、優先順位番号と優先順位との対応関係を決めることができる。例えば、優先順位番号が小さいほど、優先順位が高くなるように設定する。場合に応じて対応関係を決めることは、本発明の保護範囲に影響しない。
【００５５】
（２）報告伝送パラメータ。
前記チャネル状態情報の報告構成に含まれる報告モードが周期報告モードを含む場合、前記ネットワーク側装置は、前記チャネル状態情報の報告構成に、チャネル状態情報の報告周期及び報告サブフレーム・シフト情報を割り当てる。
【００５６】
上述２種類のパラメータの割り当て順位は、必然の前後関係がないし、割り当て順位の変化は、本発明の保護範囲に影響しない。
【００５７】
方法１と類似し、当該方法において、基準信号リソースペアの割り当て方法も、同様に仕様Ａと仕様Ｂにより実施できる。
【００５８】
[仕様Ａ]
リソースに対して単独に番号を付けて、２つの番号からなる番号ペアにより、割り当てる。
【００５９】
まず、前記ネットワーク側装置は、前記ユーザー装置に割り当てた送受信ポイントのダウンリンクチャネルを測定する各基準信号リソースと、それぞれの干渉仮定上の干渉を測定する各基準信号リソースとに対して、番号をそれぞれ付ける。
【００６０】
そして、前記ネットワーク側装置は、前記ユーザー装置に割り当てるべく１つまたは複数の基準信号リソースペアに含まれるダウンリンクチャネル測定基準信号リソースの番号と、ダウンリンク干渉測定基準信号リソースの番号からなる番号ペアを、前記ユーザー装置に送信する。
【００６１】
[仕様Ｂ]
リソースをペアになるように組み合わせ、かつ、このような組み合わせについて番号をつける。そして、リソースペア番号により割り当てる。
【００６２】
まず、前記ネットワーク側装置は、前記ユーザー装置に割り当てた送受信ポイントのダウンリンクチャネルを測定する各基準信号リソースと、それぞれの干渉仮定上の干渉を測定する各基準信号リソースとを１対１に組み合わせ、かつ各組み合わせに対して番号をつける。
【００６３】
そして、前記ネットワーク側装置は、前記ユーザー装置に割り当てるべく１つまたは複数の基準信号リソースペアに対応する番号を、前記チャネル状態情報の報告構成に対応するユーザー装置に送信する。
【００６４】
実際の実施場合、実のニーズに応じて、基準信号リソースペアの設定仕様を選択することができ、これは本発明の保護範囲を影響しない。
【００６５】
ステップＳ１０２において、前記ネットワーク側装置は、前記ユーザー装置がそれぞれの対応する報告モードに基づいて報告した前記基準信号リソースペアのチャネル状態情報を受信する。
【００６６】
ステップＳ１０１の説明によれば、報告モードは、周期報告モード及び非周期報告モードの少なくとも一方であることができるが、さらに、以下のように説明することもできる。
【００６７】
ステップＳ１０１における方法１に対応して、前記ネットワーク側装置により１つの基準信号リソースペアに割り当てる報告モードが周期報告モードを含む場合、上述ステップＳ１０２の処理は、（ａ１）と（ａ２）を備える。
【００６８】
（ａ１）において、前記ユーザー装置は、前記ネットワーク側装置により割り当てた周期報告モードに基づいて、報告タイプを選択する。
【００６９】
ここで、前記報告タイプは、現在既存の周期報告モードの報告タイプであるか、または、現在既存の周期報告モードに基づいて修正して得た報告タイプであるか、または、改めて定義した周期報告モードの報告タイプである。
【００７０】
（ａ２）において、前記ユーザー装置は、前記ネットワーク側装置により割り当てたチャネル状態情報の報告周期及び報告サブフレーム・シフト情報により、対応する報告タイプに基づいて、前記基準信号リソースペアのチャネル状態情報に対して報告する。
【００７１】
ここで、さらに説明すべきは、ステップＳ１０１において、対応する優先順位番号が設定されれば、前記ユーザー装置により報告したそれぞれの基準信号リソースペアの、報告タイプの優先順位が同等であるチャネル状態情報が衝突される場合、前記ユーザー装置は、前記ネットワーク側装置により前記それぞれの基準信号リソースペアに割り当てた優先順位番号を比較し、より高い優先順位を示す優先順位番号に対応する基準信号リソースペアのチャネル状態情報を報告する。
【００７２】
ステップＳ１０１での方法に対応して、前記チャネル状態情報の報告構成に含まれる報告モードが周期報告モードを含む場合、上記ステップＳ１０２の処理は、具体的に、（b１）と（b２）を備える。
【００７３】
（b１）において、前記ユーザー装置は、前記チャネル状態情報の報告構成に含まれる周期報告モードに基づいて、報告タイプを選択する。
【００７４】
ここで、前記報告タイプは、現在既存の周期報告モードの報告タイプであるか、または、現在既存の周期報告モードに基づいて修正して得た報告タイプであるか、または、改めて定義した周期報告モードの報告タイプである。
【００７５】
（b２）において、前記ユーザー装置は、前記ネットワーク側装置により前記チャネル状態情報の報告構成に割り当てたチャネル状態情報の報告周期及び報告サブフレーム・シフト情報により、対応する報告タイプに基づいて、前記ネットワーク側装置により前記チャネル状態情報の報告構成に割り当てた基準信号リソースペアのチャネル状態情報を報告する。
【００７６】
また、ステップＳ１０１において、対応する優先順位番号が割り当てられれば、前記ユーザー装置により報告したそれぞれのチャネル状態情報の報告構成の、報告タイプの優先順位が同等であるチャネル状態情報が衝突される場合、前記ユーザー装置は、前記ネットワーク側装置により前記それぞれのチャネル状態情報の報告構成に割り当てた優先順位番号を比較し、且つ、より高い優先順位を示す優先順位番号に対応するチャネル状態情報の報告構成の基準信号リソースペアのチャネル状態情報を報告する。
【００７７】
以上、本発明にかかる実施例により提供するマルチポイント・チャネル状態情報の報告方法に従ってネットワーク側装置での実施を説明したが、これに応じて、ユーザー装置側でも対応する処理を行う必要がある。対応する処理は、上述で説明したので、その以上説明しない。
【００７８】
従来技術と比べ、本発明にかかる実施例により提供する技術は以下のメリットを有する。
【００７９】
本発明にかかる実施例によれば、ユーザー装置に割り当てたチャネル測定基準信号リソース及び干渉測定基準信号リソースからなる基準信号リソースペアに、対応する報告モードを割り当てるか、または、ユーザー装置に、複数の、対応する報告モードが含まれるチャネル状態情報の報告構成を割り当て、且つ、各チャネル状態情報の報告構成に、チャネル測定基準信号リソース及び干渉測定基準信号リソースからなる基準信号リソースペア１つを割り当てる。
そして、ユーザー装置は、対応する報告モードに応じて、基準信号リソースペアのチャネル状態情報を報告する。これにより、ユーザー装置が、１つまたは複数の送受信ポイントに、１つまたは複数の干渉仮定上のチャネル状態情報を報告することができるようになる。
【００８０】
以下、具体的な応用シナリオと結合して、上述方法１及び方法２と対応し、本発明にかかる実施例により提供する技術を説明する。
【００８１】
まず、上述方法１と対応し、本発明にかかる実施例は、複数の基準信号リソースペアに基づく報告モード構成により実現するマルチポイント・チャネル状態情報の報告方法を利用する。対応する処理仕様は、図２に示すようである。
【００８２】
ステップＳ２０１において、ネットワークは、高位層シグナリングを介して、半止水式でユーザー装置に、１つまたは複数のダウンリンクチャネル測定基準信号リソース及びダウンリンク干渉測定基準信号リソースペアを通知する（以下、「基準信号リソースペア」と呼ぶ）。
【００８３】
ネットワークにより通知した各基準信号リソースペアには、１つのダウンリンクチャネル測定基準信号リソース及び１つのダウンリンク干渉測定基準信号リソースのみが含まれる。
【００８４】
ここで、ネットワークにより通知した各基準信号リソースペアのチャネル測定基準信号リソースは、ネットワークによりユーザーに割り当てた送受信ポイントのダウンリンクチャネルを測定する１つまたは複数の基準信号リソースに含まれる。ネットワークにより通知した各基準信号リソースペアのダウンリンク干渉測定基準信号リソースは、ネットワークによりユーザーに割り当てるそれぞれの干渉仮定上の干渉を測定する１つまたは複数の基準信号リソースに含まれる。
【００８５】
実際の応用の場合、ネットワークからユーザー装置に１つまたは複数の基準信号リソースペアを通知する方法は、ネットワークがユーザーに割り当てるダウンリンクチャネル測定基準信号リソースに対して単独に番号を付け、且つ、并高位層シグナリングを介して、各ユーザーに割り当てるダウンリンクチャネル測定基準信号リソースの番号をユーザー装置に通知すし、ネットワークがユーザーに割り当てるダウンリンク干渉測定基準信号リソースに対して単独に番号を付け、且つ高位層シグナリングを介して、各ユーザーに割り当てるダウンリンク干渉測定基準信号リソースの番号をユーザー装置に通知する方法であってもよい。
ネットワークは、高位層シグナリングを介して、ユーザーに通知すべき基準信号リソースペアのダウンリンクチャネル測定基準信号リソース番号と、ダウンリンク干渉測定基準信号リソース番号ペアとを、ユーザー装置に通知する。これにより、基準信号リソースペアをユーザー装置に通知することを実現する。
【００８６】
また、ネットワークからユーザー装置への１つまたは複数の基準信号リソースペアの通知方法は、ネットワークが、ユーザーに割り当てた全てのダウンリンクチャネル測定基準信号リソースと、全てのダウンリンクチャネル測定基準信号リソースとの１対１組み合わせに対して番号を付ける方法であってもよい。
ネットワークは、高位層シグナリングを介して、全てのユーザーに割り当てるダウンリンクチャネル測定基準信号リソースとダウンリンクチャネル測定基準信号リソースとの１対１組み合わせの番号を、ユーザー装置に通知する。
ネットワークは、高位層シグナリングを介して、ユーザーに通知すべき基準信号リソースペアのダウンリンクチャネル測定基準信号リソースと、ダウンリンクチャネル測定基準信号リソースとの１対１組み合わせの番号を、ユーザー装置に通知する。これにより、基準信号リソースペアをユーザー装置に通知することを実現する。
【００８７】
ステップＳ２０２において、ネットワークは、高位層シグナリングを介して、半止水式で、各ユーザー装置に通知した基準信号リソースペアに、１つの報告モードを割り当てる。
【００８８】
周期的に報告すれば、ネットワークにより割り当てる報告モードは、既存チャネル状態情報の周期報告モードであるか、既存チャネル状態情報の周期報告モードに基づいて修正したチャネル状態情報の周期報告モードであるか、または、改めて設計したチャネル状態情報の周期報告モードであってもよい。
非周期的に報告しようとすれば、ネットワークは、半止水式でユーザー装置に通知した各基準信号リソースペアのために１つの報告モードを割り当てる。
ネットワークが割り当てた当該報告モードは、既存チャネル状態情報の非周期報告モードであるか、既存チャネル状態情報の非周期報告モードに基づいて修正したチャネル状態情報の非周期報告モードであるか、または、改めて設計したチャネル状態情報の非周期報告モードである。
【００８９】
チャネル状態情報を周期的に報告するために、ネットワークは、高位層シグナリングを介して、ユーザー装置に通知した各基準信号リソースペアに１つの優先順位番号を割り当てる。優先順位番号により示す優先順位の高低順位は、ネットワークとユーザー装置により、事前に設定する。例えば、ネットワークとユーザー装置は、事前に小優先順位番号が高優先順位を示すように設定する。
【００９０】
チャネル状態情報を周期的に報告するために、ネットワークは、高位層シグナリングを介して、ユーザー装置に通知した各基準信号リソースペアに、チャネル状態情報の報告周期及び報告サブフレーム・シフトを割り当てる。
例えば、ネットワークは、ユーザー装置の基準信号リソースペアのために、ｃqｉーｐｍｉーＣｏｎｆｉｇＩｎｄｅｘパラメータを割り当て、ユーザー装置は、当該パラメータによりＣＱＩ/ＰＭＩの報告周期Nｐｄ、報告サブフレーム・シフトNOＦＦＳＥＴ,ＣＱＩを確定する。ネットワークは、ユーザー装置の基準信号リソースペアに、ｒｉーＣｏｎｆｉｇＩｎｄｅｘパラメータを割り当て、ユーザー装置は、当該パラメータによりＲＩの報告周期ＭＲＩを確定し、相対サブフレーム・シフトNOＦＦＳＥＴ,ＲＩを報告する
【００９１】
チャネル状態情報を周期的に報告するために、ユーザー装置は、ステップＳ２０３をさらに執行する。
【００９２】
ステップＳ２０３において、ユーザー装置は、ネットワークにより割り当てた各基準信号リソースペアの報告モードに、報告タイプを選択する。
【００９３】
ユーザー装置が選択した報告タイプは、当該報告モードのための既存の報告タイプであってもよいし、従来報告タイプに基づいて修正した当該報告モードための報告タイプであってもよく、または、当該報告モードのための、改めて設計した報告タイプであってもよい。
【００９４】
ステップＳ２０４において、ユーザー装置は、ネットワークにより割り当てた基準信号リソースペアのチャネル状態情報の報告周期及び報告サブフレーム・シフトに基づいて、各ユーザーに通知した各基準信号リソースペアに対し、ネットワークに報告情報を送信する。
【００９５】
ここで、異なる基準信号リソースペアの同一優先順位の報告タイプが衝突される場合、ユーザー装置は、優先順位番号が高優先順を示す基準信号リソースペアの報告タイプを送信し、優先順位番号が低優先順位を示す基準信号リソースペアの報告タイプを放棄する。
【００９６】
また、上述方法２に応じて、本発明にかかる実施例は、複数のチャネル状態情報の報告構成に基づいて実現するマルチポイント・チャネル状態情報の報告方法を提供する。当該方法に対応する処理案は図３に示す。
【００９７】
ステップＳ３０１において、ネットワークは、高位層シグナリングを介して、半止水式で、ユーザー装置に、１つまたは複数のチャネル状態情報の報告構成を割り当てる。
【００９８】
ネットワークによりユーザー装置に割り当てた各チャネル状態情報の報告構成は、１つの報告モードが含まれる。周期的に報告すれば、ネットワークにより割り当てた報告モードは、既存チャネル状態情報の周期報告モードであるか、既存チャネル状態情報の周期報告モードに基づいて修正したチャネル状態情報の周期報告モードであるか、または、改めて設計したチャネル状態情報の周期報告モードである。
非周期に報告すれば、ネットワークにより割り当てた当該報告モードは、既存チャネル状態情報の非周期報告モードであるか、既存チャネル状態情報の非周期報告モードに基づいて修正したチャネル状態情報の非周期報告モードであるか、改めて設計したチャネル状態情報の非周期報告モードである。
ネットワークがユーザー装置に複数の報告構成を割り当てれば、ネットワークによりユーザー装置に割り当てた報告構成における一部又は全部報告構成は、同一の報告モードが含まれることができる。
【００９９】
ネットワークからユーザー装置へ割り当てた各チャネル状態情報の報告構成には、１つの報告構成番号が含まれる。ネットワークからユーザー装置へ割り当てたいずれ１つの報告構成の報告構成番号は、ネットワークからユーザー装置へ割り当てたいずれ１つの他の報告構成の報告構成番号と異なる。
【０１００】
ステップＳ３０２において、ネットワークは、高位層シグナリングを介して、半止水式で、各ユーザー装置に割り当てたチャネル状態情報の報告構成に、１つの基準信号リソースペアを割り当てる。
【０１０１】
ネットワークによりユーザー装置に割り当てたいずれの１つのチャネル状態情報の報告構成の基準信号リソースペアは、ネットワークによりユーザー装置に割り当てたいずれの１つの他のチャネル状態情報の報告構成の基準信号リソースペアと異なる。
ネットワークによりユーザー装置に割り当てたいずれの１つのチャネル状態情報の報告構成の基準信号リソースペアには、１つのダウンリンクチャネル測定基準信号リソース及び１つのダウンリンク干渉測定基準信号リソースのみが含まれる。
ネットワークネットワークによりユーザー装置に割り当てたいずれの１つのチャネル状態情報の報告構成の基準信号リソースペアにおけるチャネル測定基準信号リソースは、ネットワークによりユーザーに割り当てた、送受信ポイントのダウンリンクチャネルを測定する１つまたは複数の基準信号リソースに含まれる。
ネットワークによりユーザー装置に割り当てたいずれの１つのチャネル状態情報の報告構成の基準信号リソースペアにおけるダウンリンク干渉測定基準信号リソースは、ネットワークによりユーザーに割り当てた、それぞれの干渉仮定上の干渉を測定する１つまたは複数の基準信号リソースに含まれる。
【０１０２】
ネットワークによりチャネル状態情報の報告構成に、１つまたは複数の基準信号リソースペアを割り当てる方法は、ネットワークが、ユーザーに割り当てるダウンリンクチャネル測定基準信号リソースに対して単独に番号を付け、且つ、高位層シグナリングを介してユーザー装置に割り当てた各ダウンリンクチャネル測定基準信号リソースの番号を、ユーザー装置に通知し、ネットワークが、配置給ユーザー装置に割り当てたダウンリンク干渉測定基準信号リソースに対して単独に番号を付け、且つ、高位層シグナリングを介して、ユーザー装置に割り当てた各ダウンリンク干渉測定基準信号リソースの番号を、ユーザー装置に通知する方法であってもよい。
ネットワークは、高位層シグナリングを介して、ユーザー装置に割り当てるべく基準信号リソースペアのダウンリンクチャネル測定基準信号リソース番号と、ダウンリンク干渉測定基準信号リソース番号ペアと、対応するチャネル状態情報の報告構成の報告構成番号とを、ユーザー装置に通知する。これにより、基準信号リソースペアをチャネル状態情報の報告構成割り当てることを実現する。
【０１０３】
ネットワークによりチャネル状態情報の報告構成に、１つまたは複数の基準信号リソースペアを割り当てる方法は、ネットワークが、ユーザーに割り当てるダウンリンクチャネル測定基準信号リソースとダウンリンクチャネル測定基準信号リソースとの全ての１対１組み合わせに対して番号を付ける方法であってもよい。
ネットワークは、高位層シグナリングを介して、ユーザーに割り当てるダウンリンクチャネル測定基準信号リソースとダウンリンクチャネル測定基準信号リソースとの全ての１対１組み合わせの番号を、ユーザー装置に通知する。
ネットワークは、高位層シグナリングを介して、ユーザー装置に割り当てるべく基準信号リソースペアのダウンリンクチャネル測定基準信号リソースとダウンリンク干渉測定基準信号リソースとの１対１組み合わせの番号を、ユーザー装置に通知する。これにより、基準信号リソースペアをチャネル状態情報の報告構成に割り当てることを実現する。
【０１０４】
チャネル状態情報を周期的に報告するために、ネットワークは、高位層シグナリングを介して、ユーザー装置に割り当てた各チャネル状態情報の報告構成に、チャネル状態情報の報告周期及び報告サブフレーム・シフトを割り当てる。
例えば、ネットワークは、ユーザー装置のチャネル状態情報の報告構成に、ｃqｉーｐｍｉーＣｏｎｆｉｇＩｎｄｅｘパラメータを割り当てる。ユーザー装置は、当該パラメータに基づいて、ＣＱＩ/ＰＭＩの報告周期Nｐｄ、と、報告サブフレーム・シフトNOＦＦＳＥＴ,ＣＱＩとを確定する。
ネットワークは、ユーザー装置のチャネル状態情報の報告構成に、ｒｉーＣｏｎｆｉｇＩｎｄｅｘパラメータを割り当てる。ユーザー装置は、当該パラメータに基づいてＲＩの報告周期ＭＲＩと、相対サブフレーム・シフトNOＦＦＳＥＴ,ＲＩとを報告数する。
【０１０５】
チャネル状態情報を周期的に報告するために、ユーザー装置は、ステップＳ３０３を執行する。
【０１０６】
ステップＳ３０３において、ユーザー装置は、ネットワークにより割り当てた各チャネル状態情報の報告構成に、報告タイプを選択する。
【０１０７】
ユーザー装置により選択した報告タイプは、当該報告モードのための既存の報告タイプであってもよいし、従来報告タイプに基づいて修正した当該報告モードのための報告タイプであってもよいし、当該報告モードのための、改めて設計した報告タイプであってもよい。
【０１０８】
ステップＳ３０４において、ユーザー装置は、ネットワークにより割り当てたチャネル状態情報の報告構成のチャネル状態情報報告周期及び報告サブフレーム・シフトに基づいて、各チャネル状態情報の報告構成の基準信号リソースペアに対し、ネットワークに報告情報を送信する。
【０１０９】
それぞれのチャネル状態情報の報告構成の同一優先順位の報告タイプが衝突される場合、ユーザー装置は、報告構成番号が小さいチャネル状態情報の報告構成の報告タイプを送信し、報告構成番号が大きいチャネル状態情報の報告構成の報告タイプを放棄する。
【０１１０】
以下、異なる具体的な実施例により、本発明にかかる実施例の技術を説明する。
【０１１１】
〈実施例１〉
本実施例は、複数の基準信号リソースペアに基づく報告モード構成で実現する周期報告的マルチポイント・チャネル状態情報の報告方法を提供する。
【０１１２】
まずは、ネットワークに、２つのチャネル測定ＣＳＩ−ＲＳリソースと、２つの干渉測定基準信号リソースとを割り当てる。
【０１１３】
２つのチャネル測定ＣＳＩ−ＲＳリソース：ＣＳＩ−ＲＳリソースａ１、ＣＳＩ−ＲＳリソースａ２。
【０１１４】
２つの干渉測定基準信号リソース：干渉測定基準信号リソースｂ１、干渉測定基準信号リソースｂ２。
【０１１５】
同時に、ユーザー装置報告ＲＩと、ＣＱＩと、ＰＭＩ情報とを割り当てる。
【０１１６】
上述の割り当てが終了後、ネットワークは、高位層シグナリングを介して、半止水式でユーザー装置に基準信号リソースペアを通知する。
【０１１７】
本実施例において、ネットワークは、基準信号リソースペアにおけるチャネル測定ＣＳＩ−ＲＳリソース番号と干渉測定基準信号リソース番号とを通知する方法により、ユーザー装置に３つの基準信号リソースペアを通知すると仮定する。
【０１１８】
基準信号リソースペアｃ１（ＣＳＩリソースａ１--干渉測定基準信号リソースｂ１）。
基準信号リソースペアｃ２（ＣＳＩリソースａ１--干渉測定基準信号リソースｂ２）。
基準信号リソースペアｃ３（ＣＳＩリソースａ２--干渉測定基準信号リソースｂ２）。
【０１１９】
ネットワークは、他の数の、基準信号リソース組み合わせの基準信号リソースペアを通知することも可能である。
【０１２０】
ネットワークは、高位層シグナリングを介して、半止水式で上述３つの基準信号リソースペアに周期報告モードを割り当てる。
ネットワークは、基準信号リソースペアｃ１に報告モード２-１を割り当て、基準信号リソースペアｃ２に報告モード１-１を割り当て、基準信号リソースペアｃ３に報報告モード１-１を割り当てる。
【０１２１】
ネットワークは、高位層シグナリングを介して、半止水式で、上述３つの基準信号リソースペアに、優先順位番号を割り当てる。
【０１２２】
ネットワークとユーザー装置とが、小優先順位番号が高優先順位を示すように設定したと仮定する。
ネットワークは、基準信号リソースペアｃ１に、優先順位番号０を割り当て、基準信号リソースペアｃ２のために、優先順位番号１を割り当て、基準信号リソースペアｃ３に、優先順位番号２を割り当てる。
【０１２３】
ネットワークは、高位層シグナリングを介して、半止水式で各基準信号リソースペアのためにｃqｉーｐｍｉーＣｏｎｆｉｇＩｎｄｅｘパラメータとｒｉーＣｏｎｆｉｇＩｎｄｅｘパラメータを割り当てる。
ユーザーは、ネットワークにより割り当てたパラメータに基づいて、基準信号リソースペアｃ１、ｃ２、ｃ３のＣＱＩ/ＰＭＩ報告周期Nｐｄと、サブフレーム・シフトNOＦＦＳＥＴ,ＣＱＩと、ＲＩ報告周期ＭＲＩとを確定し、相対サブフレーム・シフトNOＦＦＳＥＴ,ＲＩを報告する。
【０１２４】
ユーザーは、各基準信号リソースペアの報告モード構成に基づいて、含まれる報告タイプを確定する。
ユーザーは、以下のことを確定する。
基準信号リソースペアｃ１に割り当てる報告モード２-１には報告タイプ３と、報告タイプ２と、報告タイプ１とが含まれる。
基準信号リソースペアｃ２に割り当てた報告モード１-１には、報告タイプ３と、報告タイプ２とが含まれる。
基準信号リソースペアｃ３に割り当てる報告モード１-１には、報告タイプ３と、報告タイプ２とが含まれる。
ユーザー装置は、報告情報の報告周期とサブフレーム・シフトとに基づいて、基準信号リソースペアを送信する各報告タイプの時刻を確定する。
【０１２５】
さらに、基準信号リソースペアｃ１の報告タイプ２と、基準信号リソースペアｃ３の報告タイプ２とが、あるサブフレームにおいて衝突されると仮定する。
基準信号リソースペアｃ１の報告タイプ２と、基準信号リソースペアｃ３の報告タイプ２とが、異なる基準信号リソースペアの報告タイプ衝突において、同一の報告タイプ優先順位を有する。
ユーザーは、基準信号リソースペアｃ１の優先順位番号と、基準信号リソースペアｃ３の優先順位番号とを比較し、基準信号リソースペアｃ１の優先順位番号がより小さい。ユーザーは、衝突時刻の場合の基準信号リソースペアｃ３の報告タイプ２を放棄し、基準信号リソースペアｃ１の報告タイプ２を送信する。
【０１２６】
〈実施例２〉
本実施例において、複数の基準信号リソースペアに基づく報告モード構成で実現する非周期報告に基づくマルチポイント・チャネル状態情報の報告方法を提供する。
【０１２７】
まずは、ネットワークに３つのチャネル測定ＣＳＩ−ＲＳリソースと、２つの干渉測定基準信号リソースとを割り当てる。
【０１２８】
３つのチャネル測定ＣＳＩ−ＲＳリソース：ＣＳＩ−ＲＳリソースｄ１、ＣＳＩ−ＲＳリソースｄ２、ＣＳＩ−ＲＳリソースｄ３。
【０１２９】
２つの干渉測定基準信号リソース：干渉測定基準信号リソースｅ１、干渉測定基準信号リソースｅ２。
【０１３０】
同時に、ユーザー装置に報告ＲＩと、ＣＱＩと、ＰＭＩ情報とを割り当てる。
【０１３１】
上述割り当てが終了した後、ネットワークは、チャネル測定基準信号リソースと干渉測定基準信号リソースとの１対１組み合わせに対して番号を付ける。
【０１３２】
基準信号リソースペアｆ１（ＣＳＩリソースｄ１--干渉測定基準信号リソースｅ１）。
基準信号リソースペアｆ２（ＣＳＩリソースｄ１--干渉測定基準信号リソースｅ２）。
基準信号リソースペアｆ３（ＣＳＩリソースｄ２--干渉測定基準信号リソースｅ２）。
基準信号リソースペアｆ４（ＣＳＩリソースｄ３--干渉測定基準信号リソースｅ２）。
基準信号リソースペアｆ５（ＣＳＩリソースｄ２-干渉測定基準信号リソースｅ１）。
基準信号リソースペアｆ６（ＣＳＩリソースｄ３-干渉測定基準信号リソースｅ１）。
【０１３３】
ネットワークは、高位層シグナリングを介して、基準信号リソースペア番号を、ユーザー装置に通知する。
【０１３４】
ネットワークは、高位層シグナリングを介して、半止水式でユーザー装置に基準信号リソースペアを通知する。
【０１３５】
当該実施例において、ネットワークが基準信号リソースペア番号を通知する方法により、ユーザー装置に４つの基準信号リソースペアを通知すると仮定する。
【０１３６】
上記４つの基準信号は、基準信号リソースペアｆ１、基準信号リソースペアｆ２、基準信号リソースペアｆ３、基準信号リソースペアｆ４である。
【０１３７】
ネットワークは、他の数の基準信号リソース組み合わせの基準信号リソースペアを通知する可能性もある。
【０１３８】
ネットワークは、高位層シグナリングを介して半止水式で、上述通知した４つの基準信号リソースペアのためにそれぞれ非周期報告モードを割り当てる。
ネットワークは、基準信号リソースペアｆ１のために報告モード２-２を割り当て、基準信号リソースペアｆ２、ｆ３、ｆ４に、報告モード１-２を割り当てる。
【０１３９】
ネットワークは、ＤＣＩシグナリングを介して動的にユーザー装置のチャネル状態情報非周期フィードバックをトリガーする。
【０１４０】
〈実施例３〉
本実施例は、複数のチャネル状態情報の報告構成に基づいて実現する周期報告を利用するマルチポイント・チャネル状態情報の報告方法を提供する。
【０１４１】
まずは、ネットワークは、２つのチャネル測定ＣＳＩ−ＲＳリソースと、２つの干渉測定基準信号リソースとを割り当てる。
【０１４２】
２つのチャネル測定ＣＳＩ−ＲＳリソース：ＣＳＩ−ＲＳリソースａ１、ＣＳＩ−ＲＳリソースａ２。
【０１４３】
２つの干渉測定基準信号リソース：干渉測定基準信号リソースb１、干渉測定基準信号リソースb２。
【０１４４】
同時に、ユーザー装置に、報告ＲＩと、ＣＱＩと、ＰＭＩ情報とを割り当てる。
【０１４５】
ネットワークは、高位層シグナリングを介して、番号が１であるチャネル状態情報の報告構成と、番号が２であるチャネル状態情報の報告構成と、番号が３であるチャネル状態情報の報告構成との３つのチャネル状態情報の報告構成をユーザー装置に割り当てる。
【０１４６】
ネットワークは、ユーザー装置に他の数のチャネル状態情報の報告構成を割り当てる可能性もある。
【０１４７】
当該実施例において、ネットワークが基準信号リソースペアにおけるチャネル測定ＣＳＩ−ＲＳリソース番号と干渉測定基準信号リソース番号とを通知する方法により、ユーザー装置の各チャネル状態情報の報告構成に、１つの基準信号リソースペアを割り当てると仮定する。
【０１４８】
番号が１であるチャネル状態情報の報告構成に、基準信号リソースペアｃ１（ＣＳＩリソースａ１--干渉測定基準信号リソースb１）を割り当てる
【０１４９】
番号が２であるチャネル状態情報の報告構成に、基準信号リソースペアｃ２（ＣＳＩリソースａ１--干渉測定基準信号リソースb２）を割り当てる。
【０１５０】
番号が３であるチャネル状態情報の報告構成に、基準信号リソースペアｃ３（ＣＳＩリソースａ２--干渉測定基準信号リソースb２）を割り当てる。
【０１５１】
ネットワークは、高位層シグナリングを介して半止水式で、上述の割り当てた３つのチャネル状態情報の報告構成に、周期報告モードを割り当てる。ネットワークは、番号が１であるチャネル状態情報の報告構成に、報告モード２-１を割り当て、番号が２であるチャネル状態情報の報告構成に、報告モード１-１を割り当て、番号が３であるチャネル状態情報の報告構成に、報告モード１-１を割り当てる。
【０１５２】
ネットワークは、高位層シグナリングを介して半止水式で、上述の割り当てた３つのチャネル状態情報の報告構成のための、ｃqｉ−ｐｍｉ−ＣｏｎｆｉｇＩｎｄｅｘパラメータと、ｒｉ−ＣｏｎｆｉｇＩｎｄｅｘパラメータとを割り当てる。
ユーザー装置は、ネットワークに割り当てたパラメータに基づいて、３つのチャネル状態情報の報告構成のＣＱＩ/ＰＭＩ報告周期Nｐｄと、サブフレーム・シフトNOＦＦＳＥＴ,ＣＱＩと、ＲＩ報告周期ＭＲＩとをそれぞれ確定し、且つ、相対サブフレーム・シフトNOＦＦＳＥＴ,ＲＩを報告する。
【０１５３】
ユーザー装置は、各チャネル状態情報の報告構成の報告モード構成に基づいて、含まれる報告タイプを確定する。
【０１５４】
ユーザーは、番号が１であるチャネル状態情報の報告構成の報告モード２-１に、報告タイプ３と、報告タイプ２と、報告タイプ１とが含まれることを確定し、番号が２であるチャネル状態情報の報告構成の報告モード１-１に、報告タイプ３と、報告タイプ２とが含まれることを確定し、番号が３であるチャネル状態情報の報告構成の報告モード１-１に、報告タイプ３と、報告タイプ２とが含まれることを確定する。
ユーザー装置は、報告情報の報告周期と、サブフレーム・シフトとに基づいて、チャネル状態情報の報告構成を送信する各報告タイプの時刻を確定する。
【０１５５】
番号が１であるチャネル状態情報の報告構成的報告タイプ２と、番号が３であるチャネル状態情報の報告構成の報告タイプ２とがあるサブフレームにおいて衝突されると仮定する。
番号が１であるチャネル状態情報の報告構成の報告タイプ２と、番号が３であるチャネル状態情報の報告構成の報告タイプ２とが、異なる基準信号リソースペアの報告タイプ衝突において、同一の報告タイプ優先順位を有する。ユーザー装置が、番号が３であるチャネル状態情報の報告構成の報告タイプ２を放棄し、番号が１であるチャネル状態情報の報告構成の報告タイプ２を送信する。
【０１５６】
〈実施例４〉
本実施例は、複数のチャネル状態情報の報告構成で実現できる非周期報告のマルチポイント・チャネル状態情報の報告方法を提供する。
【０１５７】
まずは、ネットワークは、３つのチャネル測定ＣＳＩ−ＲＳリソースと、２つの干渉測定基準信号リソースとを割り当てる。
【０１５８】
３つのチャネル測定ＣＳＩ−ＲＳリソース：ＣＳＩ−ＲＳリソースｄ１、ＣＳＩ−ＲＳリソースｄ２、ＣＳＩ−ＲＳリソースｄ３。
【０１５９】
２つの干渉測定基準信号リソース：干渉測定基準信号リソースｅ１、干渉測定基準信号リソースｅ２。
【０１６０】
同時に、ユーザー装置に、報告ＲＩと、ＣＱＩと、ＰＭＩ情報とを割り当てる。
【０１６１】
ネットワークは、チャネル測定基準信号リソースと干渉測定基準信号リソースとの全ての１対１組み合わせに対して番号を付ける。
【０１６２】
基準信号リソースペアｆ１（ＣＳＩリソースｄ１--干渉測定基準信号リソースｅ１）。
基準信号リソースペアｆ２（ＣＳＩリソースｄ１--干渉測定基準信号リソースｅ２）。
基準信号リソースペアｆ３（ＣＳＩリソースｄ２--干渉測定基準信号リソースｅ２）。
基準信号リソースペアｆ４（ＣＳＩリソースｄ３--干渉測定基準信号リソースｅ２）。
基準信号リソースペアｆ５（ＣＳＩリソースｄ２-干渉測定基準信号リソースｅ１）。
基準信号リソースペアｆ６（ＣＳＩリソースｄ３-干渉測定基準信号リソースｅ１）。
【０１６３】
ネットワークは、高位層シグナリングを介して、基準信号リソースペア番号を、ユーザー装置に通知する。
【０１６４】
ネットワークは、高位層シグナリングを介して、ユーザー装置に、４つのチャネル状態情報の報告構成を割り当てる。
【０１６５】
４つのチャネル状態情報の報告構成とは、番号が１であるチャネル状態情報の報告構成、番号が２であるチャネル状態情報の報告構成、番号が３であるチャネル状態情報の報告構成、番号が４であるチャネル状態情報の報告構成である。
【０１６６】
ネットワークは、ユーザー装置のための、他の数のチャネル状態情報の報告構成を割り当てる可能性もある。
【０１６７】
ネットワークは、高位層シグナリングを介して、半止水式でユーザー装置に基準信号リソースペアを通知する。
当該実施例において、ネットワークが基準信号リソースペア番号の通知方法により、ユーザー装置の各チャネル状態情報の報告構成に、１つの基準信号リソースペアを割り当てると仮定する。
番号が１であるチャネル状態情報の報告構成に、基準信号リソースペアｆ１を割り当て、番号が２であるチャネル状態情報の報告構成に、基準信号リソースペアｆ２を割り当て、番号が３であるチャネル状態情報の報告構成に、基準信号リソースペアｆ３を割り当て、番号が４であるチャネル状態情報の報告構成のため、基準信号リソースペアｆ４を割り当てる。
【０１６８】
ネットワークは、高位層シグナリングを介して半止水式で、上述４つのチャネル状態情報の報告構成に、非周期報告モードをそれぞれ割り当てる。
ネットワークは、番号が１であるチャネル状態情報の報告構成に、報告モード２-２を割り当て、番号が２、３、４であるチャネル状態情報の報告構成に、報告モード１-２を割り当てる。
【０１６９】
ネットワークは、ＤＣＩシグナリングを介して動的にユーザー装置のチャネル状態情報の非周期フィードバックをトリガーする。
【０１７０】
従来技術と比べ、本発明にかかる実施例の技術は、下記のメリットを有する。
本発明にかかる実施例の技術によれば、ユーザー装置に割り当てるチャネル測定基準信号リソースと、干渉測定基準信号リソースとからなる基準信号リソースペアに、対応する報告モードを割り当てるか、または、ユーザー装置に、複数の、対応する報告モードが含まれるチャネル状態情報の報告構成を割り当てる。且つ、各チャネル状態情報の報告構成に、チャネル測定基準信号リソース及び干渉測定基準信号リソースからなる基準信号リソースペア１つを割り当てる。そして、ユーザー装置は、対応する報告モードに応じて、基準信号リソースペアのチャネル状態情報を報告する。これにより、ユーザー装置が、１つまたは複数の送受信ポイントに、１つまたは複数の干渉仮定上のチャネル状態情報を報告することができるようになる。
【０１７１】
本発明にかかる実施例の技術を実現するために、本発明にかかる実施例は、ネットワーク側装置をさらに提供する。その構成図は、図４に示すように、少なくとも、割り当てモジュール４１と、受信モジュール４２とを備える。
【０１７２】
前記割り当てモジュール４１は、ユーザー装置に１つまたは複数の基準信号リソースペア及び報告モードを割り当てる。
【０１７３】
前記受信モジュール４２は、前記ユーザー装置が、前記割り当てモジュール４１により割り当てた報告モードに基づいて報告した対応する基準信号リソースペアのチャネル状態情報を受信する。
【０１７４】
ここで、前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースである。前記ダウンリンク干渉測定基準信号リソースは、前記ネットワーク側装置が前記ユーザー装置に割り当て、１つの干渉仮定上の干渉を測定する１つの基準信号リソースである。
【０１７５】
前記割り当てモジュール４１は、前記ユーザー装置に１つまたは複数の基準信号リソースペアを割り当てる。
【０１７６】
また、前記ユーザー装置に割り当てた各基準信号リソースペアに、対応する報告モードを割り当てる。
【０１７７】
また、前記割り当てモジュール４１は、１つの基準信号リソースペアに割り当てた報告モードが周期報告モード及び非周期報告モードの少なくとも一方である場合、前記基準信号リソースペアのために、１つの優先順位番号を割り当てる。
【０１７８】
また、他の場合、前記割り当てモジュール４１は、１つの基準信号リソースペアに割り当てた報告モードが周期報告モードを含む場合、前記基準信号リソースペアに、チャネル状態情報の報告周期及び報告サブフレーム・シフト情報を割り当てる。
【０１７９】
さらに、前記割り当てモジュール４１は、前記ユーザー装置に、１つまたは複数のチャネル状態情報の報告構成を割り当てる。ここで、各チャネル状態情報の報告構成には、１つの報告モードが含まれる。
【０１８０】
前記割り当てモジュール４１は、各チャネル状態情報の報告構成に、対応する基準情報リソースペアを割り当てる。
【０１８１】
上述内容に基づいて、前記割り当てモジュール４１は、前記チャネル状態情報の報告構成に含まれる報告モードが周期報告モード及び非周期報告モードの少なくとも一方である場合、前記チャネル状態情報の報告構成に、１つの優先順位番号を割り当てる。
【０１８２】
また、前記割り当てモジュール４１は、前記チャネル状態情報の報告構成に含まれる報告モードが周期報告モードを含む場合、前記チャネル状態情報の報告構成に、チャネル状態情報の報告周期及び報告サブフレーム・シフト情報を割り当てる。
【０１８３】
さらに、本発明にかかる実施例は、ユーザー装置を提供し、その構成図は、図５に示すように、少なくとも、受信モジュール５１と、報告モジュール５２とを備える。
【０１８４】
前記受信モジュール５１は、ネットワーク側装置により割り当てた１つまたは複数の基準信号リソースペア及び報告モードを受信する。
【０１８５】
前記報告モジュール５２は、前記受信モジュール５１が受信した対応する報告モードに基づいて、前記ネットワーク側装置に、前記基準信号リソースペアのチャネル状態情報を報告する。
【０１８６】
ここで、前記基準信号リソースペアは、１つのダウンリンクチャネル測定基準信号リソースと、１つのダウンリンク干渉測定基準信号リソースとを含み、前記ダウンリンクチャネル測定基準信号リソースは、前記ネットワーク側装置が前記ユーザー装置に割り当てた送受信ポイントのダウンリンクチャネルを測定する１つの基準信号リソースであり、前記ダウンリンク干渉測定基準信号リソースは、前記ネットワーク側装置が前記ユーザー装置に割り当てたそれぞれの干渉仮定上の干渉を測定する１つの基準信号リソースであり。
【０１８７】
具体的に、前記受信モジュール５１は、前記ネットワーク側装置により割り当てた１つまたは複数の基準信号リソースペアを受信する。
【０１８８】
前記ネットワーク側装置により、各基準信号リソースペアに割り当てた報告モードを受信する。
【０１８９】
さらに、前記受信モジュール５１は、受信した、前記ネットワーク側装置により１つの基準信号リソースペアに割り当てた報告モードが、周期報告モード及び非周期報告モードの少なくとも一方である場合、前記ネットワーク側装置が前記基準信号リソースペアに割り当てた１つの優先順位番号を受信する。
【０１９０】
他の場合、前記受信モジュール５１は、受信した、前記ネットワーク側装置により１つの基準信号リソースペアに割り当てた報告モードが、周期報告モードを含む場合、前記ネットワーク側装置から前記基準信号リソースペアに割り当てたチャネル状態情報の報告周期及び報告サブフレーム・シフト情報を受信する。
【０１９１】
さらに、前記報告モジュール５２は、前記受信モジュール５１が受信した、前記ネットワーク側装置により１つの基準信号リソースペアに割り当てた報告モードが、周期報告モードを含む場合、前記受信モジュール５１が受信した、前記ネットワーク側装置により割り当てた周期報告モードに基づいて、報告タイプを選択する。
【０１９２】
前記ネットワーク側装置により割り当てたチャネル状態情報の報告周期及び報告サブフレーム・シフト情報により、対応する報告タイプに基づいて、前記基準信号リソースペアのチャネル状態情報に対して報告する。
【０１９３】
ここで、前記報告タイプは、現在既存の周期報告モードの報告タイプであるか、または、現在既存の周期報告モードに基づいて修正して得た報告タイプであるか、または、改めて定義した周期報告モードの報告タイプである。
【０１９４】
ユーザー装置は、前記報告モジュール５２により報告すべきそれぞれの基準信号リソースペアの、報告タイプの優先順位が同等であるチャネル状態情報が衝突される場合、前記受信モジュール５１が受信した、前記ネットワーク側装置から前記それぞれの基準信号リソースペアに割り当てた優先順位番号を比較し、より高い優先順位を示す優先順位番号に対応する基準信号リソースペアのチャネル状態情報を報告するように前記報告モジュール５２に通知する、処理モジュール５３をさらに備える。
【０１９５】
他の場合、前記受信モジュール５１は、前記ネットワーク側装置により割り当てた１つまたは複数のチャネル状態情報の報告構成を受信する。
ここで、各チャネル状態情報の報告構成には、１つの報告モードが含まれる。
【０１９６】
前記ネットワーク側装置により、各チャネル状態情報の報告構成に割り当てた基準情報リソースペアを受信する。
【０１９７】
これに応じて、前記受信モジュール５１は、前記ネットワーク側装置により送信した１つまたは複数の報告構成番号を受信する。
【０１９８】
ここで、前記ネットワーク側装置から前記ユーザー装置へ送信する各報告構成番号は、いずれも前記ネットワーク側装置から前記ユーザー装置へ送信する他の報告構成番号と異なる。
【０１９９】
さらに、前記受信モジュール５１は、前記チャネル状態情報の報告構成に含まれる報告モードが周期報告モード及び非周期報告モードの少なくとも一方である場合、前記ネットワーク側装置が前記チャネル状態情報の報告構成に割り当てた１つの優先順位番号を受信する。
【０２００】
好ましくは、前記受信モジュール５１は、前記チャネル状態情報の報告構成に含まれる報告モードが周期報告モードを含む場合、前記ネットワーク側装置が前記チャネル状態情報の報告構成に割り当てたチャネル状態情報の報告周期及び報告サブフレーム・シフト情報を受信する。
【０２０１】
また、前記報告モジュール５２は、前記チャネル状態情報の報告構成に含まれる報告モードが周期報告モードを含む場合、前記チャネル状態情報の報告構成に含まれる周期報告モードに基づいて、報告タイプを選択する。
【０２０２】
前記ネットワーク側装置により前記チャネル状態情報の報告構成に割り当てたチャネル状態情報の報告周期及び報告サブフレーム・シフト情報により、対応する報告タイプに基づいて、前記チャネル状態情報の報告構成に割り当てた基準信号リソースペアのチャネル状態情報を報告する。
【０２０３】
ここで、前記報告タイプは、現在既存の周期報告モードの報告タイプであるか、現在既存の周期報告モードに基づいて修正して得た報告タイプであるか、または、改めて定義した周期報告モードの報告タイプである。
【０２０４】
上記内容に基づいて、ユーザー装置は、前記報告モジュール５２により報告すべきそれぞれのチャネル状態情報の報告構成の同一優先順位の報告タイプ的チャネル状態情報が衝突される場合、前記受信モジュール５１が受信した、前記ネットワーク側装置から前記それぞれのチャネル状態情報の報告構成に割り当てた優先順位番号を比較し、より高い優先順位を示す優先順位番号に対応するチャネル状態情報の報告構成の基準信号リソースペアのチャネル状態情報を報告するように前記報告モジュール５２に通知する、処理モジュール５３をさらに備える。
【０２０５】
従来技術と比べ、本発明にかかる実施例の技術方は、以下のメリットを有する。
本発明にかかる実施例の技術によれば、ユーザー装置に割り当てたチャネル測定基準信号リソースと干渉測定基準信号リソースとからなる基準信号リソースペアに、対応する報告モードを割り当てるか、又は、ユーザー装置に、複数の、対応する報告モードが含まれるチャネル状態情報の報告構成を割り当てる。且つ、各チャネル状態情報の報告構成に、チャネル測定基準信号リソース及び干渉測定基準信号リソースからなる基準信号リソースペア１つを割り当てる。そして、ユーザー装置は、対応する報告モードに応じて、基準信号リソースペアのチャネル状態情報を報告する。これにより、ユーザー装置が、１つまたは複数の送受信ポイントに、１つまたは複数の干渉仮定上のチャネル状態情報を報告することができるようになる。
【０２０６】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２０７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０２０８】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０２０９】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０２１０】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２１１】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0005981028.tif 000002
【図２】
0005981028.tif 000003
【図３】
0005981028.tif 000004
【図４】
0005981028.tif 000005
【図５】
0005981028.tif 000006